(57)【特許請求の範囲】
【請求項１】
入力してきた映像信号を補間処理してオーバーサンプリング処理するオーバーサンプリング処理部と、このオーバーサンプリング処理部から出力されてくるオーバーサンプリング信号を記憶する映像記憶部と、指定された変形効果情報に基づく読み出しアドレス及び内挿係数を出力する変形効果制御部と、読み出しアドレスに基づいて映像記憶部から読み出したオーバーサンプリング信号と内挿係数とを積和演算する積和演算部とを備えており、
オーバーサンプリング処理部は定係数フィルタから構成され、かつ、映像信号を水平方向に補間処理してｍ倍（但し、ｍは２以上の整数）にオーバーサンプリング処理すると共に、映像信号を垂直方向に補間処理してｎ倍（但し、ｎは２以上の整数）にオーバーサンプリング処理したうえで計ｍ×ｎ倍のオーバーサンプリング信号を出力するものである一方、
映像記憶部はオーバーサンプリング信号を４分割して記憶する４個のメモリブロックから構成されたものであり、第１のメモリブロックは第２ｐ−１ライン第２ｑ−１番目のオーバーサンプリング信号を記憶し（但し、ｐ，ｑは１以上の整数）、第２のメモリブロックは第２ｐ−１ライン第２ｑ番目のオーバーサンプリング信号を記憶し、第３のメモリブロックは第２ｐライン第２ｑ−１番目のオーバーサンプリング信号を記憶し、第４のメモリブロックは第２ｐライン第２ｑ番目のオーバーサンプリング信号を記憶することを特徴とする映像特殊効果装置。
【請求項２】
請求項１に記載した映像特殊効果装置であって、
オーバーサンプリング処理部は、映像信号を水平方向に補間処理して２倍にオーバーサンプリング処理すると共に、映像信号を垂直方向に補間処理して２倍にオーバーサンプリング処理したうえで計４倍のオーバーサンプリング信号を出力するものであり、
オーバーサンプリング信号は、映像信号と、映像信号を水平方向にｋタップの定係数フィルタ処理（但し、ｋは２以上の整数）して得られた第１の補間値信号と、映像信号を垂直方向にｒタップの定係数フィルタ処理（但し、ｒは２以上の整数）して得られた第２の補間値信号と、この第２の補間値信号を水平方向にｋタップの定係数フィルタ処理して得られた第３の補間値信号とであることを特徴とする映像特殊効果装置。
【請求項３】
請求項１に記載した映像特殊効果装置であって、
オーバーサンプリング処理部は、映像信号を水平方向に補間処理して２倍にオーバーサンプリング処理すると共に、映像信号を垂直方向に補間処理して２倍にオーバーサンプリング処理したうえで計４倍のオーバーサンプリング信号を出力するものであり、
オーバーサンプリング信号は、映像信号と、映像信号を水平方向にｋタップの定係数フィルタ処理（但し、ｋは２以上の整数）して得られた第１の補間値信号と、映像信号を垂直方向にｒタップの定係数フィルタ処理（但し、ｒは２以上の整数）して得られた第２の補間値信号と、第１の補間値信号を垂直方向にｒタップの定係数フィルタ処理して得られた第３の補間値信号とであることを特徴とする映像特殊効果装置。
【請求項４】
請求項２または請求項３に記載した映像特殊効果装置であって、
オーバーサンプリング処理部は、映像信号と、映像信号を水平方向に係数が（−１／８，５／８，５／８，−１／８）である４タップの定係数フィルタ処理して得られた第１の補間値信号と、映像信号を垂直方向に係数が（−１／８，５／８，５／８，−１／８）である４タップの定係数フィルタ処理して得られた第２の補間値信号と、この第２の補間値信号を係数が（−１／８，５／８，５／８，−１／８）である４タップの定係数フィルタ処理して得られた第３の補間値信号とを出力するものであることを特徴とする映像特殊効果装置。
【請求項５】
請求項１ないし４のいずれかに記載した映像特殊効果装置であって、オーバーサンプリング処理部は、映像信号のアンチエイリアシング機能と、映像信号を補間処理してオーバーサンプリング処理するオーバーサンプリング処理機能とを併せ持った可変係数プリフィルタで構成したことを特徴とする映像特殊効果装置。
【発明の詳細な説明】
【０００１】
【発明の属する技術分野】
本発明は映像特殊効果装置にかかり、特には、入力してきた映像信号に移動や拡大、縮小などの特殊効果を付与し、特殊効果が付与された映像信号を出力する構成である映像特殊効果装置に関する。
【０００２】
【従来の技術】
従来の形態１にかかる映像特殊効果装置として図６で示すようなものがあり、この映像特殊効果装置は、映像信号６００が入力してくるアンチエイリアシングフィルタ６１０と、アンチエイリアシングフィルタ６１０を通過した映像信号６００が４分割して書き込まれる第１ないし第４の画像メモリ６１１〜６１４と、ユーザーによって指定された変形効果情報に基づくフィルタ係数６０２及び読み出しアドレス６０３と内挿係数６０４とをそれぞれ出力する変形効果制御部６１５と、読み出しアドレス６０３に基づいて画像メモリ６１１〜６１４の各々から読み出される４つの映像信号、つまり、補間すべき画素の周囲に位置する４画素の映像信号と内挿係数６０４とをそれぞれ積和演算し、積和演算によって特殊効果が付与された映像信号６０１を出力する積和演算部６１６とを備えている。なお、ここでのアンチエイリアシングフィルタ６１０は、入力してきた映像信号６００の縮小時におけるエイリアシングを生じさせないよう機能する帯域制限フィルタである。
【０００３】
そして、この映像特殊効果装置では、積和演算される４つの映像信号を並列的に読み出せるよう、映像信号のそれぞれが別々の画像メモリ６１１〜６１４でもって記憶されている必要がある。従って、従来の形態１にかかる映像特殊効果装置では、アンチエイリアシングフィルタ６１０から出力されてきた映像信号のフィールド内の位置関係を示す図７のように、映像信号の第２ｐ−１ライン第２ｑ−１番目の映像信号１、つまり、図７中の符号７０１，７０３，７０７，７０９で表される位置にある映像信号１を第１の画像メモリ６１１で記憶し、第２ｐ−１ライン第２ｑ番目の映像信号２、つまり、図７中の符号７０２，７０８で表される位置にある映像信号２を第２の画像メモリ６１２で記憶すると共に、第２ｐライン第２ｑ−１番目の映像信号３、つまり、図７中の符号７０４，７０６で表される位置にある映像信号３を第３の画像メモリ６１３で記憶する一方、第２ｐライン第２ｑ番目の映像信号４、つまり、図７中の符号７０５で表される位置にある映像信号４を第４の画像メモリ６１４でもって記憶することが実行される。なお、ここでのｐ，ｑは、１以上の整数である。
【０００４】
一方、従来の形態２にかかる映像特殊効果装置としては図８で示すような構成とされたものがあり、この映像特殊効果装置は、映像信号８００が入力してくるアンチエイリアシングフィルタ８１０と、アンチエイリアシングフィルタ８１０を通った映像信号８００が１６分割して書き込まれる第１ないし第１６の画像メモリ８１１〜８２６と、ユーザーによって指定された変形効果情報に基づくフィルタ係数８０２及び読み出しアドレス８０３と内挿係数８０４とのそれぞれを出力する変形効果制御部８２７と、読み出しアドレス８０３に基づいて画像メモリ８１１〜８２６のそれぞれから読み出されてくる映像信号、つまり、補間すべき画素の周囲に位置している１６画素の映像信号と内挿係数８０４とを積和演算したうえで特殊効果が付与された映像信号８０１を出力する積和演算部８２８とを備えている。
【０００５】
また、この従来の形態２にかかる映像特殊効果装置にあっても、従来の形態１と同様、積和演算される映像信号を並列的に読み出せるよう、これらの映像信号それぞれが１６個の画像メモリ８１１〜８２６でもって各別に記憶されている必要がある。そこで、この映像特殊効果装置では、アンチエイリアシングフィルタ８１０から出力されてきた映像信号のフィールド内の位置関係を示す図９のように、映像信号の第４ｐ−３ライン第４ｑ−３番目の映像信号１、つまり、図９中の符号９０１，９０５，９２１，９２５で表される位置にある映像信号１を第１の画像メモリ８１１で記憶し、第４ｐ−３ライン第４ｑ−２番目の映像信号２、つまり、図９中の符号９０２，９２２で表される位置にある映像信号２を第２の画像メモリ８１２で記憶し、第４ｐ−３ライン第４ｑ−１番目の映像信号３、つまり、図９中の符号９０３，９２３で表される位置にある映像信号３を第３の画像メモリ８１３で記憶し、以下同様にして、第４ｐライン第４ｑ番目の映像信号１６、つまり、図９中の符号９１９で表される位置にある映像信号１６を第１６の画像メモリ８２６で記憶することが行われる。なお、ここでのｐ，ｑも、１以上の整数である。
【０００６】
【発明が解決しようとする課題】
ところで、入力してきた映像信号に縮小などの特殊効果を付与したうえで出力する構成とされた映像特殊効果装置では、補間すべき画素の周囲に位置する画素の個数を多くし、これら数多くの画素を利用したうえでの処理を実行するほど、映像信号における高周波成分の劣化が少なくて済むことになる。しかしながら、従来の形態１にかかる映像特殊効果装置では、補間すべき画素の周囲に位置している４画素のみを利用しているに過ぎないため、高周波成分の劣化を抑制することが十分にはできないという不都合が生じる。これに対し、従来の形態２にかかる映像特殊効果装置では、利用している画素数が１６と多いことから高周波成分の劣化を抑制しやすくなるが、１６個もの画素メモリ８１１〜８２６を使用する必要があり、しかも、読み出しアドレス及び内挿係数の個数が大幅に増加してしまうため、変形効果制御部８２７及び積和演算部８２８の構成が複雑化することになってしまう。
【０００７】
本発明はこれらの不都合に鑑みて創案されたものであり、読み出しアドレス及び内挿係数の個数を４個のままとしながらも映像信号における高周波成分の劣化を十分に抑制することが可能な構成とされた映像特殊効果装置の提供を目的としている。
【０００８】
【課題を解決するための手段】
本発明の請求項１にかかる映像特殊効果装置は、入力してきた映像信号を補間処理してオーバーサンプリング処理するオーバーサンプリング処理部と、このオーバーサンプリング処理部から出力されてくるオーバーサンプリング信号を記憶する映像記憶部と、指定された変形効果情報に基づく読み出しアドレス及び内挿係数を出力する変形効果制御部と、読み出しアドレスに基づいて映像記憶部から読み出したオーバーサンプリング信号と内挿係数とを積和演算する積和演算部とを備えていることを特徴とする。そして、ここでのオーバーサンプリング処理部は定係数フィルタから構成され、かつ、映像信号を水平方向に補間処理してｍ倍（但し、ｍは２以上の整数）にオーバーサンプリング処理すると共に、映像信号を垂直方向に補間処理してｎ倍（但し、ｎは２以上の整数）にオーバーサンプリング処理したうえで計ｍ×ｎ倍のオーバーサンプリング信号を出力するものである一方、映像記憶部はオーバーサンプリング信号を４分割して記憶する４個のメモリブロックから構成されたものであり、第１のメモリブロックは第２ｐ−１ライン第２ｑ−１番目のオーバーサンプリング信号を記憶し（但し、ｐ，ｑは１以上の整数）、第２のメモリブロックは第２ｐ−１ライン第２ｑ番目のオーバーサンプリング信号を記憶し、第３のメモリブロックは第２ｐライン第２ｑ−１番目のオーバーサンプリング信号を記憶し、第４のメモリブロックは第２ｐライン第２ｑ番目のオーバーサンプリング信号を記憶している。
【０００９】
本発明の請求項２にかかる映像特殊効果装置は請求項１に記載したものであって、オーバーサンプリング処理部は、映像信号を水平方向に補間処理して２倍にオーバーサンプリング処理すると共に、映像信号を垂直方向に補間処理して２倍にオーバーサンプリング処理したうえで計４倍のオーバーサンプリング信号を出力するものであり、オーバーサンプリング信号は、映像信号と、映像信号を水平方向にｋタップの定係数フィルタ処理（但し、ｋは２以上の整数）して得られた第１の補間値信号と、映像信号を垂直方向にｒタップの定係数フィルタ処理（但し、ｒは２以上の整数）して得られた第２の補間値信号と、この第２の補間値信号を水平方向にｋタップの定係数フィルタ処理して得られた第３の補間値信号とであることを特徴とする。
【００１０】
本発明の請求項３にかかる映像特殊効果装置は請求項１に記載したものであって、オーバーサンプリング処理部は、映像信号を水平方向に補間処理して２倍にオーバーサンプリング処理すると共に、映像信号を垂直方向に補間処理して２倍にオーバーサンプリング処理したうえで計４倍のオーバーサンプリング信号を出力するものであり、オーバーサンプリング信号は、映像信号と、映像信号を水平方向にｋタップの定係数フィルタ処理（但し、ｋは２以上の整数）して得られた第１の補間値信号と、映像信号を垂直方向にｒタップの定係数フィルタ処理（但し、ｒは２以上の整数）して得られた第２の補間値信号と、第１の補間値信号を垂直方向にｒタップの定係数フィルタ処理して得られた第３の補間値信号とであることを特徴とする。
【００１１】
本発明の請求項４にかかる映像特殊効果装置は請求項２または請求項３に記載したものであり、オーバーサンプリング処理部は、映像信号と、映像信号を水平方向に係数が（−１／８，５／８，５／８，−１／８）である４タップの定係数フィルタ処理して得られた第１の補間値信号と、映像信号を垂直方向に係数が（−１／８，５／８，５／８，−１／８）である４タップの定係数フィルタ処理して得られた第２の補間値信号と、この第２の補間値信号を係数が（−１／８，５／８，５／８，−１／８）である４タップの定係数フィルタ処理して得られた第３の補間値信号とを出力するものであることを特徴とする。
【００１２】
本発明の請求項５にかかる映像特殊効果装置は、請求項１ないし４のいずれかに記載した映像特殊効果装置であって、オーバーサンプリング処理部は、映像信号のアンチエイリアシング機能と、映像信号を補間処理してオーバーサンプリング処理するオーバーサンプリング処理機能とを併せ持った可変係数プリフィルタで構成したことを特徴としている。
【００１３】
【発明の実施の形態】
以下、本発明の実施の形態を図面に基づいて説明する。
（実施の形態１）
図１は実施の形態１にかかる映像特殊効果装置の構成を簡略化して示すブロック図、図２は映像特殊効果装置が備えているオーバーサンプリング処理部の構成を示すブロック図であり、図３はオーバーサンプリング信号のフィールド内の位置関係を示す説明図である。また、図４は映像特殊効果装置を用いて得られる周波数特性を示す説明図であり、図４中の実線は実施の形態１にかかる映像特殊効果装置の場合、破線は従来の形態１にかかる映像特殊効果装置の場合を示している。
【００１４】
本実施の形態１にかかる映像特殊効果装置は、図１で示すように、入力してきた映像信号１００を補間処理してオーバーサンプリング処理するオーバーサンプリング処理部１１０と、４倍にオーバーサンプリング処理されたうえでオーバーサンプリング処理部１１０から出力されてくるオーバーサンプリング信号１０１ａ〜１０１ｄのそれぞれを記憶する映像記憶部である４個のメモリブロック、つまり、第１ないし第４の画像メモリ１１１〜１１４と、ユーザーによって指定された変形効果情報、例えば、“０．５画素移動”や“２．５倍拡大”というような変形効果情報に基づく読み出しアドレス１０３及び内挿係数１０４を出力する変形効果制御部１２０と、読み出しアドレス１０３に基づいて画像メモリ１１１〜１１４の各々から読み出されるオーバーサンプリング信号１０１ａ〜１０１ｄと内挿係数１０４とを積和演算し、積和演算に伴って特殊効果が付与された映像信号１０２を出力する積和演算部１１９とを備えている。なお、付与される特殊効果が縮小である場合には、既にアンチエイリアシング処理が施された映像信号１００がオーバーサンプリング処理部１１０へと入力されてくる。
【００１５】
そして、この際におけるオーバーサンプリング処理部１１０は、入力してきた映像信号１００を水平方向に補間処理して２倍にオーバーサンプリング処理すると共に、この映像信号１００を垂直方向に補間処理して２倍にオーバーサンプリング処理したうえで計４倍のオーバーサンプリング信号１０１ａ〜１０１ｄを出力するものとなっており、このオーバーサンプリング処理部１１０からは、映像信号１００そのものであるオーバーサンプリング信号１０１ａと、映像信号１００を水平方向に４タップの定係数フィルタ処理して得られた第１の補間値信号であるオーバーサンプリング信号１０１ｂと、映像信号１００を垂直方向に４タップの定係数フィルタ処理して得られた第２の補間値信号であるオーバーサンプリング信号１０１ｃと、この第２の補間値信号であるオーバーサンプリング信号１０１ｃを水平方向に４タップの定係数フィルタ処理して得られた第３の補間値信号であるオーバーサンプリング信号１０１ｄとが出力されている。
【００１６】
すなわち、このオーバーサンプリング処理部１１０は、図２で示すように、タップ数が４であって係数が（−１／８，５／８，５／８，−１／８）である水平方向の定係数フィルタからなり、映像信号１００を水平方向に定係数フィルタ処理して第１の補間値信号であるオーバーサンプリング信号１０１ｂを生成する第１の補間演算部２１１と、タップ数が４であって係数が（−１／８，５／８，５／８，−１／８）である垂直方向の定係数フィルタから構成されたうえで映像信号１００を垂直方向に定係数フィルタ処理して第２の補間値信号であるオーバーサンプリング信号１０１ｃを生成する第２の補間演算部２１２と、タップ数が４であって係数が（−１／８，５／８，５／８，−１／８）である水平方向の定係数フィルタからなり、かつ、第２の補間値信号であるオーバーサンプリング信号１０１ｃを水平方向に定係数フィルタ処理して第３の補間値信号１０１ｄを生成する第３の補間演算部２１３とを具備している。なお、ここでは、第３の補間演算部２１３が第２の補間値信号であるオーバーサンプリング信号１０１ｃを水平方向に定係数フィルタ処理して第３の補間値信号であるオーバーサンプリング信号１０１ｄを生成するものであるとしているが、この第３の補間演算部２１３が第１の補間値信号であるオーバーサンプリング信号１０１ｂを垂直方向に定係数フィルタ処理して第３の補間値信号であるオーバーサンプリング信号１０１ｄを生成するものであってもよい。
【００１７】
さらに、本実施の形態にかかる映像特殊効果装置でも、積和演算される４つのオーバーサンプリング信号１０１ａ〜１０１ｄを並列的に読み出す必要がある都合上、これらオーバーサンプリング信号１０１ａ〜１０１ｄのそれぞれを別々の画像メモリ１１１〜１１４で記憶しておく必要がある。そこで、この映像特殊効果装置においては、オーバーサンプリング処理部１１０から出力されてきたオーバーサンプリング信号１０１ａ〜１０１ｄのフィールド内の位置関係を示す説明図である図３のように、入力してきた映像信号１００を４つのオーバーサンプリング信号１０１ａ〜１０１ｄに分割することが実行されることになり、第１の画像メモリ１１１では第２ｐ−１ライン第２ｑ−１番目のオーバーサンプリング信号１０１ａ、つまり、図３中の符号３０１，３０３，３０７，３０９で表される位置にあるオーバーサンプリング信号１０１ａが記憶され（但し、ｐ，ｑは１以上の整数）、第２の画像リモリ１１２では第２ｐ−１ライン第２ｑ番目のオーバーサンプリング信号１０１ｂ、つまり、図３中の符号３０２，３０８で表される位置にあって第１の補間値信号となるオーバーサンプリング信号１０１ｂが記憶される。また、第３の画像メモリ１１３では第２ｐライン第２ｑ−１番目のオーバーサンプリング信号１０１ｃ、つまり、図３中の符号３０４，３０６で表される位置にある第２の補間値信号としてのオーバーサンプリング信号１０１ｃが記憶されることになり、第４の画像メモリ１１４では第２ｐライン第２ｑ番目のオーバーサンプリング信号１０１ｄ、つまり、図３中の符号３０５で表される位置にあって第３の補間値信号となるオーバーサンプリング信号１０１ｄが記憶される。
【００１８】
従って、本実施の形態にかかる映像特殊効果装置が備えている積和演算部１１９からは、オーバーサンプリング信号１０１ａ〜１０１ｄと内挿係数１０４との積和演算によって特殊効果が付与された映像信号１０２が出力されてくることになり、この映像特殊効果装置を用いて得られる周波数特性は図４で示すようになる。すなわち、この図４は、映像信号１００を水平方向にＤ／２（但し、Ｄは映像信号のサンプリング間隔）だけ移動させる効果を与えた際における映像信号１０２の周波数特性（水平ラインの周波数レスポンス）を示しており、図４中の実線は実施の形態１にかかる映像特殊効果装置の周波数特性を、また、破線は従来の形態１にかかる映像特殊効果装置の周波数特性を示している。なお、図４の横軸は周波数であり、縦軸はレスポンスである。
【００１９】
そして、実施の形態１及び従来の形態１のそれぞれにおける周波数特性を併記して示す図４によれば、実施の形態１にかかる映像特殊効果装置を用いた場合の方が従来の形態１にかかる映像特殊効果装置を用いた場合よりも高周波成分の劣化が大幅に抑制されていることが分かる。すなわち、以上説明した実施の形態１にかかる映像特殊効果装置では、高周波成分の劣化が少ない方法、つまり、タップ数の多い定係数フィルタによって生成した第１ないし第３の補間値信号であるオーバーサンプリング信号１０１ｂ〜１０１ｄを利用したうえで任意の位置における補間値を求めているため、高周波成分の劣化が少ない映像信号１０２が出力されてくることになる。なお、実施の形態１にかかる映像特殊効果装置では、読み出しアドレス１０３及び内挿係数１０４の個数がそれぞれ４個ずつであるに過ぎないため、積和演算部１１９及び変形効果制御部１２０の構成が複雑化することも起こらない。
【００２０】
ところで、本実施の形態にかかる映像特殊効果装置にあっては、オーバーサンプリング処理部１１０が、映像信号１００を水平方向に補間処理して２倍にオーバーサンプリング処理し、かつ、垂直方向に補間処理して２倍にオーバーサンプリング処理したうえで計４倍のオーバーサンプリング信号１０１ａ〜１０１ｄを出力するものであるとしているが、このような構成に限られることはなく、定係数フィルタから構成されたオーバーサンプリング処理部１１０が、映像信号１００を水平方向に補間処理してｍ倍（但し、ｍは２以上の整数）にオーバーサンプリング処理すると共に、この映像信号１００を垂直方向に補間処理してｎ倍（但し、ｎは２以上の整数）にオーバーサンプリング処理したうえで計ｍ×ｎ倍のオーバーサンプリング信号を出力するものであってもよいことは勿論である。
【００２１】
また、本実施の形態では、第１ないし第３の補間演算部２１１〜２１３のそれぞれが４タップの定係数フィルタから構成されるとしているが、このような構成に限定されず、第１の補間演算部２１１が水平方向にｋタップの定係数フィルタ（但し、ｋは２以上の整数）からなり、かつ、第２の補間演算部２１２が垂直方向にｒタップの定係数フィルタ（但し、ｒは２以上の整数）から構成されたものである一方、第１の補間値信号であるオーバーサンプリング信号１０１ｂを垂直方向に沿って処理する際の第３の補間演算部２１３がｋタップの定係数フィルタからなるもの、あるいは、第２の補間値信号であるオーバーサンプリング信号１０１ｃを水平方向に沿って処理する際の第３の補間演算部２１３がｒタップの定係数フィルタからなるものであってもよい。
【００２２】
（実施の形態２）
図５は実施の形態２にかかる映像特殊効果装置の構成を簡略化して示すブロック図であり、この映像特殊効果装置は、入力してきた映像信号５００を前処理する可変係数プリフィルタ５１０と、この可変係数プリフィルタ５１０から出力される映像信号５０１〜５０４のそれぞれを分割して記憶する映像記憶部である第１ないし第４の画像メモリ５１１〜５１４と、ユーザーによって指定された変形効果情報に基づく読み出しアドレス５０７及び内挿係数５０８と可変係数プリフィルタ５１０に与えられるプリフィルタ係数５０６とを出力する変形効果制御部５２０と、読み出しアドレス５０７に基づいて画像メモリ５１１〜５１４の各々から読み出される映像信号５０１〜５０４のそれぞれと内挿係数５０８とを積和演算し、積和演算による特殊効果が付与された映像信号５０５を出力する積和演算部５１９とを備えている。
【００２３】
そして、ここでの可変係数プリフィルタ５１０は、入力してきた映像信号５００のアンチエイリアシング機能と、この映像信号５００を補間処理してオーバーサンプリング処理するオーバーサンプリング処理機能とを併せ持ったもの、つまり、アンチエイリアシング処理及びオーバーサンプリング処理の両方を同時に実行し得るプリフィルタ係数５０６が設定されるものとなっている。従って、例えば、入力してくる映像信号５００がアンチエイリアシング処理の施されていない信号であったとしても、第１ないし第４の画像メモリ５１１〜５１４に書き込んで記憶される映像信号５０１〜５０４は、実施の形態１で説明した第１ないし第４の画像メモリ１１１〜１１４で記憶されるオーバーサンプリング信号１０１ａ〜１０１ｄと同様の信号であることになる。
【００２４】
すなわち、実施の形態２にかかる映像特殊効果装置では、映像信号５０１〜５０４が書き込んで記憶される第１ないし第４の画像メモリ５１１〜５１４の前段側に対して予め可変係数プリフィルタ５１０を設けており、この可変係数プリフィルタ５１０がアンチエイリアシング機能及びオーバーサンプリング処理機能を併せ持ったものとなっているので、実施の形態１と同様、積和演算部５１９からは、高周波成分の劣化が大幅に抑制された映像信号５０５が出力されてくることになる。なお、本実施の形態にかかる映像特殊効果装置にあっても、読み出しアドレス５０７及び内挿係数５０８の個数は４個ずつであるに過ぎないため、積和演算部５１９及び変形効果制御部５２０の構成が複雑化することは起こらない。
【００２５】
【発明の効果】
以上説明したように、本発明にかかる映像特殊効果装置によれば、タップ数の多い定係数フィルタによって生成した第１ないし第３の補間値信号であるオーバーサンプリング信号を利用したうえで任意の位置における補間値を求めるため、高周波成分の劣化が少ない映像信号が出力されてくることになり、高周波成分の劣化を十分に抑制することができるという効果が得られる。また、読み出しアドレスと内挿係数の個数はそれぞれ４個であるため、積和演算部と変形効果制御部とが複雑にはならないという利点も確保される。
【図面の簡単な説明】
【図１】実施の形態１にかかる映像特殊効果装置の構成を簡略化して示すブロック図である。
【図２】実施の形態１にかかる映像特殊効果装置が備えているオーバーサンプリング処理部の構成を示すブロック図である。
【図３】実施の形態１におけるオーバーサンプリング信号のフィールド内の位置関係を示す説明図である。
【図４】映像特殊効果装置を用いて得られる周波数特性を示す説明図である。
【図５】実施の形態２にかかる映像特殊効果装置の構成を簡略化して示すブロック図である。
【図６】従来の形態１にかかる映像特殊効果装置の構成を簡略化して示すブロック図である。
【図７】従来の形態１にかかる映像特殊効果装置が備えるアンチエイリアシングフィルタから出力されてきた映像信号のフィールド内の位置関係を示す説明図である。
【図８】従来の形態２にかかる映像特殊効果装置の構成を簡略化して示すブロック図である。
【図９】従来の形態２にかかる映像特殊効果装置が備えるアンチエイリアシングフィルタから出力されてきた映像信号のフィールド内の位置関係を示す説明図である。
【符号の説明】
１００    映像信号
１０１ａ  オーバーサンプリング信号（映像信号）
１０１ｂ  オーバーサンプリング信号（第１の補間値信号）
１０１ｃ  オーバーサンプリング信号（第２の補間値信号）
１０１ｄ  オーバーサンプリング信号（第３の補間値信号）
１０２    映像信号
１０３    読み出しアドレス
１０４    内挿係数
１１０    オーバーサンプリング処理部
１１１    第１の画像メモリ（メモリブロック）
１１２    第２の画像メモリ（メモリブロック）
１１３    第３の画像メモリ（メモリブロック）
１１４    第４の画像メモリ（メモリブロック）
１１９    積和演算部
１２０    変形効果制御部
【図１】
0003698926.tif 000002
【図２】
0003698926.tif 000003
【図３】
0003698926.tif 000004
【図４】
0003698926.tif 000005
【図５】
0003698926.tif 000006
【図６】
0003698926.tif 000007
【図７】
0003698926.tif 000008
【図８】
0003698926.tif 000009
【図９】
0003698926.tif 000010